(57)【要約】【課題】釣り針だけでなくシンカーも係止できる可動式のフックキーパーを備える両軸受リールを提供する。【解決手段】魚釣り用の両軸受リール２００は、リール本体２１０と、リール本体２１０に支持され、釣り糸が巻回されるスプール２３０と、リール本体２１０に回転可能に支持され、スプール２３０に釣り糸を巻回する巻回機構を構成する駆動軸と、駆動軸の一端に装着される装着部２２１を有し、駆動軸を回転させるハンドル２２０と、係止部および支持部を有するフックキーパー１と、を備える。フックキーパー１の係止部は、係止部を貫通する穴、および、穴から係止部の外側面まで貫通し、かつ、穴の中心軸方向の係止部の一方の端面から他方の端面に到るスリットが形成され、支持部は、係止部を支持し、少なくとも円環の一部を含む接合部を有し、接合部で装着部に駆動軸の周りに揺動可能に装着される。【選択図】図１
2020010667.tif 000002
【特許請求の範囲】
【請求項１】
魚釣り用の両軸受リールであって、
リール本体と、
前記リール本体に支持され、釣り糸が巻回されるスプールと、
前記リール本体に回転可能に支持され、前記スプールに釣り糸を巻回する巻回機構を構成する駆動軸と、
前記駆動軸の一端に装着される装着部を有し、前記駆動軸を回転させるハンドルと、
係止部および支持部を有するフックキーパーと、
を備え、
前記係止部は、前記係止部を貫通する穴、および、前記穴から前記係止部の外側面まで貫通し、かつ、前記穴の中心軸方向の前記係止部の一方の端面から他方の端面に到るスリットが形成され、
前記支持部は、前記係止部を支持し、少なくとも円環の一部を含む接合部を有し、前記接合部で前記装着部に前記駆動軸の周りに揺動可能に装着され、
前記支持部が前記ハンドルの短手方向に位置する状態では、前記係止部の前記穴および前記スリットは、前記ハンドルの前記駆動軸に直交する短手方向の外面よりも外側にあり、前記支持部が前記ハンドルの長手方向に位置する状態では、前記係止部の前記穴および前記スリットは、前記ハンドルの前記駆動軸に直交する短手方向の外面よりも内側にある、両軸受リール。
【請求項２】
前記フックキーパーは、前記穴の中心軸方向の前記係止部の前記一方の端面の前記スリットの中心と前記他方の端面の前記スリットの中心とを結ぶ線が、前記穴の中心軸に対してねじれの位置にある、請求項１に記載の両軸受リール。
【請求項３】
前記ハンドルは、前記装着部から、前記駆動軸に交わる方向に延びるハンドルアームをさらに有し、
前記フックキーパーは、前記ハンドルアームよりも前記駆動軸の軸方向外側に取り付けられる、請求項１または２に記載の両軸受リール。
【請求項４】
前記装着部は、
前記ハンドルを前記駆動軸に固定する筒状部材と、
前記筒状部材の外周面に形成されたリング溝に嵌められて保持されるＯリングと、
を有し、
前記支持部は、前記筒状部材の外周面に対向する内周面を有する円環状部材で構成される前記接合部を有し、前記係止部を前記円環状部材の周上に半径方向外向きに支持し、
前記Ｏリングは、前記円環状部材の内周面と前記筒状部材の外周面との間に介在する、請求項１から３のいずれか１項に記載の両軸受リール。
【請求項５】
前記支持部は、前記係止部を、前記支持部に対して、前記穴の中心軸と交わる軸の周りに回転可能に支持する、請求項１から４のいずれか１項に記載の両軸受リール。
【発明の詳細な説明】
【技術分野】
【０００１】
本発明は、両軸受リールに関する。
【背景技術】
【０００２】
魚釣りにおいて、ポイントを移動したり釣り竿を替えたりするときに、両軸受リールを用いた釣り竿に仕掛けを付けたまま、持ち歩いたり置いたりする場合がある。このような場合、竿先から先の釣り糸の部分が固定されていないと自由に動いてしまい、釣り針が衣服に引っかかったり、仕掛けによってリール本体が損傷したり、釣り糸が絡んだりすることがある。これを防止するため、両軸受リールに装着され、釣り針を係止することができるフックキーパーがある。一般的に、フックキーパーは、釣り針を係止する係止部がリール本体から突出しているが、フックキーパーの不使用時には、突出した係止部に釣り糸が絡むことがある。そこで、可動式のフックキーパーを備える両軸受リールが提案されている。例えば、特許文献１に記載の両軸受リールは、リール本体の内側から外側方向へ回動可能に設けることにより、釣り竿の使用中に必要に応じて収納させることができるフックキーパーを備える。
【先行技術文献】
【特許文献】
【０００３】
【特許文献１】特開２０１４−２３６７２８号公報
【発明の概要】
【発明が解決しようとする課題】
【０００４】
特許文献１に記載の両軸受リールは、フックキーパーをリール本体の内部に収納可能に設けるため、リール本体の構造を変えなければならない。また、特許文献１に記載のフックキーパーは、釣り針を係止するものであり、ダウンショットリグの場合は、釣り針だけを固定しても、その先のシンカーは固定されないので、シンカーによってリール本体が損傷したり、釣り糸が絡んだりする問題は解消されない。
【０００５】
本発明は、上述の問題を解決するためになされたものであって、リール本体の構造を変えることなく、釣り針だけでなくシンカーも係止できる可動式のフックキーパーを備える両軸受リールを提供することを目的とする。
【課題を解決するための手段】
【０００６】
本発明の第１の観点に係る両軸受リールは、魚釣り用の両軸受リールであって、リール本体と、リール本体に支持され、釣り糸が巻回されるスプールと、リール本体に回転可能に支持され、スプールに釣り糸を巻回する巻回機構を構成する駆動軸と、駆動軸の一端に装着される装着部を有し、駆動軸を回転させるハンドルと、係止部および支持部を有するフックキーパーと、を備え、係止部は、係止部を貫通する穴、および、穴から係止部の外側面まで貫通し、かつ、穴の中心軸方向の係止部の一方の端面から他方の端面に到るスリットが形成され、支持部は、係止部を支持し、少なくとも円環の一部を含む接合部を有し、接合部で装着部に駆動軸の周りに揺動可能に装着され、支持部がハンドルの短手方向に位置する状態では、係止部の穴およびスリットは、ハンドルの駆動軸に直交する短手方向の外面よりも外側にあり、支持部がハンドルの長手方向に位置する状態では、係止部の穴およびスリットは、ハンドルの駆動軸に直交する短手方向の外面よりも内側にある。
【０００７】
好ましくは、フックキーパーは、穴の中心軸方向の係止部の一方の端面のスリットの中心と他方の端面のスリットの中心とを結ぶ線が、穴の中心軸に対してねじれの位置にある。
【０００８】
好ましくは、ハンドルは、装着部から、駆動軸に交わる方向に延びるハンドルアームをさらに有し、フックキーパーは、ハンドルアームよりも駆動軸の軸方向外側に取り付けられる。
【０００９】
好ましくは、装着部は、ハンドルを駆動軸に固定する筒状部材と、筒状部材の外周面に形成されたリング溝に嵌められて保持されるＯリングと、を有し、支持部は、筒状部材の外周面に対向する内周面を有する円環状部材で構成される接合部を有し、係止部を円環状部材の周上に半径方向外向きに支持し、Ｏリングは、円環状部材の内周面と筒状部材の外周面との間に介在する。
【００１０】
さらに好ましくは、支持部は、係止部を、支持部に対して、穴の中心軸と交わる軸の周りに回転可能に支持する。
【発明の効果】
【００１１】
本発明によれば、リール本体の構造を変えることなく、釣り針だけでなくシンカーも係止できる可動式のフックキーパーを備える両軸受リールを提供することができる。
【図面の簡単な説明】
【００１２】
【図１】本発明の実施の形態１に係る両軸受リールの斜視図
【図２】実施の形態１に係るフックキーパーの斜視図
【図３】実施の形態１に係るフックキーパーの側面図
【図４】実施の形態１に係るフックキーパーが装着されたハンドルの断面図
【図５】（Ａ）実施の形態１に係るフックキーパーがハンドルの駆動軸に直交する短手方向の一方に起きた状態と倒れた状態とを示すハンドルの斜視図、（Ｂ）実施の形態１に係るフックキーパーがハンドルの駆動軸に直交する短手方向の他方に起きた状態と倒れた状態とを示すハンドルの斜視図
【図６】実施の形態１に係るフックキーパーにオフセットフックを係止した例を示す魚釣用リールの斜視図
【図７】実施の形態１に係るフックキーパーにシンカーを係止した例を示す魚釣用リールの斜視図
【図８】本発明の実施の形態２に係るフックキーパーの斜視図
【図９】（Ａ）実施の形態２に係るフックキーパーが起きた状態を示すハンドルの斜視図、（Ｂ）実施の形態２に係るフックキーパーが倒れた状態を示すハンドルの斜視図
【発明を実施するための形態】
【００１３】
以下、本発明の実施の形態に係る両軸受リールについて図面を参照して詳細に説明する。なお図中、同一または同等の部分には同一の符号を付す。
【００１４】
実施の形態１．
図１は、本発明の実施の形態１に係る両軸受リールの斜視図である。両軸受リール２００は、図１に向かって左手前側が釣り竿の先端（前方）に向かうように、釣り竿に取り付けられる。両軸受リール２００は、リール本体２１０と、リール本体２１０の側方に配置されたハンドル２２０と、リール本体２１０に回転可能に支持されたスプール２３０と、ハンドル２２０のリール本体２１０側に配置されたドラグ調整用のスタードラグ２４０と、を備える。
【００１５】
リール本体２１０は、ハンドル２２０の回転を受けて、スプール２３０を回転させ、スプール２３０に釣り糸を巻き取る巻回機構を有する。ハンドル２２０は、リール本体２１０に回転可能に支持される駆動軸の一端に装着される。駆動軸は、巻回機構を構成する部材である。ハンドル２２０は、駆動軸の一端に装着される装着部２２１と、装着部２２１から駆動軸に交わる方向に延びるハンドルアーム２２２と、ハンドルアーム２２２の先端部から駆動軸に平行な方向に延びる把手軸に回転可能に装着される一対の把手２２３ａおよび把手２２３ｂと、を有する（把手２２３ｂは図示せず）。
【００１６】
装着部２２１は、ハンドルアーム２２２を駆動軸に固定するナット２０１と、ナット２０１に嵌合し、固定用ビスで締め付けることによって、ナット２０１を固定するリテーナー２０２とを含む。フックキーパー１は、穴およびスリットが形成された係止部と、係止部を支持し、円環の一部を含む接合部を有する支持部とを備える。フックキーパー１は、接合部で、駆動軸の周り（図中、矢印Ａの方向）に１８０度揺動可能に装着される。
【００１７】
ユーザは、フックキーパー１の使用時には、図１に示すように、フックキーパー１の係止部の穴およびスリットがハンドル２２０の駆動軸に直交する短手方向の外面Ｓ１よりも外側にある状態にする。以下、この状態をフックキーパー１が起きた状態といい、この状態にすることを、フックキーパー１を起こすという。ユーザは、フックキーパー１の不使用時には、フックキーパー１の係止部の穴およびスリットがハンドル２２０の駆動軸に直交する短手方向の外面Ｓ１よりも内側にある状態にする。以下、この状態をフックキーパー１が倒れた状態といい、この状態にすることを、フックキーパー１を倒すという。
【００１８】
図１に示す状態から、フックキーパー１を駆動軸の周りに１８０度回転させると、フックキーパー１の係止部の穴およびスリットが、ハンドル２２０の駆動軸に直交する短手方向の外面Ｓ１の反対側の外面Ｓ２（図示せず）よりも外側にある状態になる。つまり、フックキーパー１は、ハンドル２２０の駆動軸に直交する短手方向のどちら側にも起こすことができる。
【００１９】
図２は、実施の形態１に係るフックキーパーの斜視図である。フックキーパー１は、穴１１１およびスリット１１２が形成された係止部１１と、係止部１１を支持し、接合部１２１を有する支持部１２と、を備えている。穴１１１は、係止部１１を貫通する。スリット１１２は、穴１１１から係止部１１の外側面まで貫通し、かつ、穴１１１の中心軸方向の係止部１１の一方の端面Ｅ１から他方の端面Ｅ２に到る。接合部１２１は、円環の一部を切り出した形状である。フックキーパー１は、支持部１２の接合部１２１で、ハンドル２２０の装着部２２１に装着される。支持部１２は、係止部１１を、接合部１２１の反対側で支持している。
【００２０】
フックキーパー１にオフセットフックを含む釣り針を係止する場合、釣り針のシャンクまたはベンドをスリット１１２に通して穴１１１の中に押し込んで係止する。スリット１１２は、釣り針のシャンクおよびベンドの太さよりも広い幅で形成されており、穴１１１は、スリット１１２の幅よりも広い直径で形成されている。針先の出ている釣り針を係止する場合には、針先を穴１１１の周縁の係止部１１にひっかけてもよい。
【００２１】
フックキーパー１にシンカーを係止する場合、釣り糸をスリット１１２に通して穴１１１の中に押し込む。穴１１１は、シンカーの幅よりも狭い直径で形成されており、シンカーは、穴１１１の外に係止される。このとき、穴１１１の直径がシンカーのアイの幅よりも広い場合は、シンカーのアイのみが穴１１１の中に収容される。
【００２２】
図３は、実施の形態１に係るフックキーパーの側面図である。フックキーパー１は、穴１１１の中心軸方向の係止部１１の一方の端面Ｅ１のスリット１１２の中心と他方の端面Ｅ２のスリット１１２の中心とを結ぶ線Ｌが、穴１１１の中心軸Ａに対してねじれの位置にある。このように、穴１１１およびスリット１１２を形成することで、フックキーパー１に係止された釣り針やシンカーが外れにくくなる。
【００２３】
図４は、実施の形態１に係るフックキーパーが装着されたハンドルの断面図である。図４の断面図は、フックキーパー１が倒れた状態のハンドル２２０の長手方向の断面の一部を示している。
【００２４】
ハンドル２２０の装着部２２１は、ハンドル２２０を駆動軸２５０に固定するナット２０１と、ナット２０１を固定するリテーナー２０２とを有する。ナット２０１は、筒状部材であって、上部２０１ａは、六角柱状で、リテーナー２０２の穴に嵌合している。下部２０１ｂは、円筒状で、内周面に雌ネジ部２０１ｃを有し、雌ネジ部２０１ｃにより駆動軸２５０と螺合している。
【００２５】
ナット２０１の下部２０１ｂの外周面とリテーナー２０２のナット２０１の上部２０１ａと嵌合しない内周面との間に形成された溝２０２ａと、ハンドルアーム２２２に形成された溝２２２ａとに、フックキーパー１の支持部１２の接合部１２１が嵌合することで、フックキーパー１は、駆動軸２５０の周りに揺動可能に装着される。
【００２６】
ナット２０１の下部２０１ｂの外周面には、リング溝２０１ｄが形成されており、リング溝２０１ｄに嵌められてＯリング２０３が保持されている。フックキーパー１の支持部１２の接合部１２１のナット２０１側の面には、溝１２１ａが形成されており、溝１２１ａのナット２０１の外周面に対向している面は、Ｏリング２０３と接触している。Ｏリング２０３との摩擦によって、フックキーパー１は一定以上の力を加えなければ動かないため、使用時にフックキーパー１が倒れた状態になったり、不使用時にフックキーパー１が起きた状態になったりすることがない。
【００２７】
図５（Ａ）は、実施の形態１に係るフックキーパーがハンドルの駆動軸に直交する短手方向の一方に起きた状態と倒れた状態とを示すハンドルの斜視図である。フックキーパー１は、駆動軸の周りに１８０度揺動可能に装着されている。リテーナー２０２は、当接部２０２ｂを有する。ユーザがフックキーパー１を当接部２０２ｂ側に起こす方向に回転させると、フックキーパー１が当接部２０２ｂにあたって、容易にフックキーパー１を起きた状態で止めることができる。フックキーパー１が当接部２０２ｂ側に起きた状態では、フックキーパー１の係止部１１の穴１１１およびスリット１１２がハンドル２２０の駆動軸に直交する短手方向の外面Ｓ１よりも外側にある。フックキーパー１が倒れた状態（図中、破線）では、フックキーパー１の係止部１１の穴１１１およびスリット１１２がハンドル２２０の駆動軸に直交する短手方向の外面Ｓ１よりも内側にある。ユーザがフックキーパー１の不使用時にフックキーパー１を倒すことで、フックキーパー１に釣り糸が絡むことを防止できる。
【００２８】
図５（Ａ）の例では、ハンドル２２０の駆動軸に直交する短手方向の外面Ｓ１が上方を向いている。この場合、ユーザはフックキーパー１を当接部２０２ｂ側に起こして使用する。しかし、ハンドル２２０の角度によっては外面Ｓ２が上方を向く場合もある。外面Ｓ２が上方を向いた場合について、図５（Ｂ）を用いて説明する。
【００２９】
図５（Ｂ）は、実施の形態１に係るフックキーパーがハンドルの駆動軸に直交する短手方向の他方に起きた状態と倒れた状態とを示すハンドルの斜視図である。リテーナー２０２は、当接部２０２ｂの、ハンドル２２０の駆動軸に直交する短手方向の反対側に、当接部２０２ｃを有する。ユーザがフックキーパー１を当接部２０２ｃ側に起こす方向に回転させると、フックキーパー１が当接部２０２ｃにあたって、容易にフックキーパー１を起きた状態で止めることができる。フックキーパー１が当接部２０２ｃ側に起きた状態では、フックキーパー１の係止部１１の穴１１１およびスリット１１２がハンドル２２０の駆動軸に直交する短手方向の外面Ｓ２よりも外側にある。フックキーパー１が倒れた状態（図中、破線）では、フックキーパー１の係止部１１の穴１１１およびスリット１１２がハンドル２２０の駆動軸に直交する短手方向の外面Ｓ２よりも内側にある。つまり、フックキーパー１は、ハンドル２２０の駆動軸に直交する短手方向のどちら側にも起こすことができる。また、フックキーパー１は、倒れた状態では、ハンドル２２０の駆動軸に直交する短手方向のどちらの外面からも穴１１１およびスリット１１２が出ない。
【００３０】
図５（Ａ）のように、当接部２０２ｂ側に起きた状態のフックキーパー１に釣り針またはシンカーを係止した場合の釣り糸の張力の方向は、図５（Ａ）に向かって左手前方向である。一方、図５（Ｂ）のように、当接部２０２ｃ側に起きた状態のフックキーパー１に釣り針またはシンカーを係止した場合の釣り糸の張力の方向は、図５（Ｂ）に向かって左奥方向である。どちらの場合も、フックキーパー１の係止部１１のスリット１１２が釣り糸の張力の方向の反対方向に開いているので、釣り針のシャンクまたはベンド、あるいは、釣り糸がスリット１１２から抜けにくい。
【００３１】
ただし、図５（Ｂ）の場合は、釣り糸の張力の方向がフックキーパー１の可倒方向であるので、フックキーパー１と図４に示したＯリング２０３との摩擦力を、フックキーパー１に釣り針またはシンカーを係止した場合の釣り糸の張力よりも大きくする。または、リテーナー２０２の当接部２０２ｃに溝を設け、フックキーパー１の当接部２０２ｃの溝に接する部分に弾性部材の爪を設けて、当接部２０２ｃ側にフックキーパー１を起こしたときに、当接部２０２ｃの溝とフックキーパー１の爪とが係合して、釣り糸に引っ張られてもフックキーパー１が倒れないように構成してもよい。あるいは、フックキーパー１を駆動軸の周りに９０度揺動可能に装着し、フックキーパー１の使用時には、ユーザがハンドル２２０の外面Ｓ１を上方に向けて、フックキーパー１を当接部２０２ｂ側に起こして使用することにしてもよい。
【００３２】
図６は、実施の形態１に係るフックキーパーにオフセットフックを係止した例を示す魚釣用リールの斜視図である。フックキーパー１にオフセットフック４を係止する場合、釣り糸６の先に装着されたオフセットフック４のシャンク４１またはベンド４２を、フックキーパー１のスリットに通し、ワームがハンドルアーム２２２に沿うように、穴に係止する。フックキーパー１のスリットは、シャンク４１およびベンド４２の太さよりも広い幅で形成されている。
【００３３】
図７は、実施の形態１に係るフックキーパーにシンカーを係止した例を示す魚釣用リールの斜視図である。フックキーパー１にシンカー５を係止する場合、釣り糸６をフックキーパー１のスリットに通し、シンカー５を穴に係止する。図７の例では、フックキーパー１の穴の直径がシンカー５のアイ５１の幅よりも広いので、アイ５１のみが穴の中に収容された状態で、シンカー５が係止されている。
【００３４】
図１、図４〜図７に記載のフックキーパー１の穴は、中心軸が駆動軸の軸方向と平行に形成されているが、穴の中心軸の方向は、これに限らず、穴の中心軸が駆動軸の軸方向に対して垂直または斜めに形成されていてもよい。また、フックキーパー１の支持部１２が、係止部１１を、支持部１２に対して穴の中心軸と交わる軸の周りに回転可能に支持してもよい。これにより、ユーザが釣り針や釣り糸をスリットに通しやすい角度にすることができる。また、釣り針やシンカーを係止した状態で、係止部１１を、釣り糸を引っ張る方向に回転させると、釣り糸の張力を大きくすることができるので釣り針やシンカーが外れにくくなる。
【００３５】
実施の形態２．
図８は、本発明の実施の形態２に係るフックキーパーの斜視図である。実施の形態２のフックキーパー１は、実施の形態１のフックキーパー１と、主に支持部１２の接合部１２１の形状が異なる。
【００３６】
支持部１２の接合部１２１は、円環状部材で構成され、フックキーパー１は、接合部１２１で、ハンドル２２０の装着部２２１に装着される。支持部１２は、係止部１１を、接合部１２１の周上に半径方向外向きに支持する。なお、支持部１２は、係止部１１を、支持部１２に対して穴１１１の中心軸と交わる軸の周りに回転可能に支持してもよい。
【００３７】
実施の形態２に係るフックキーパー１が装着されたハンドル２２０の断面図は、図４と同様である。ナット２０１の下部２０１ｂの外周面とリテーナー２０２のナット２０１の上部２０１ａと嵌合しない内周面との間に形成された溝２０２ａと、ハンドルアーム２２２に形成された溝２２２ａとに、フックキーパー１の支持部１２の接合部１２１が嵌合することで、フックキーパー１は、駆動軸２５０の周りに揺動可能に装着される。
【００３８】
ナット２０１の下部２０１ｂの外周面には、リング溝２０１ｄが形成されており、リング溝２０１ｄに嵌められてＯリング２０３が保持されている。フックキーパー１の支持部１２の接合部１２１は、ナット２０１の下部２０１ｂの外周面に対向する内周面を有する。接合部１２１の内周面には、溝１２１ａが形成されており、溝１２１ａのナット２０１の外周面に対向している面は、Ｏリング２０３と接触している。つまり、Ｏリング２０３は、接合部１２１の内周面とナット２０１の下部２０１ｂの外周面との間に介在する。Ｏリング２０３との摩擦によって、フックキーパー１は一定以上の力を加えなければ動かないため、使用時にフックキーパー１が倒れた状態になったり、不使用時にフックキーパー１が起きた状態になったりすることがない。
【００３９】
図９（Ａ）は、実施の形態２に係るフックキーパーが起きた状態を示すハンドルの斜視図である。図９（Ｂ）は、実施の形態２に係るフックキーパーが倒れた状態を示すハンドルの斜視図である。図９に示すように、接合部１２１が円環状部材であって、Ｏリング２０３を覆っていることで、フックキーパー１が起きた状態であっても、フックキーパー１が倒れた状態であっても、Ｏリング２０３が露出することがないので、Ｏリング２０３の劣化を抑えることができる。
【００４０】
上記の実施の形態では、フックキーパー１にオフセットフックを含む釣り針およびシンカーを係止する例について説明したが、フックキーパー１にはシャンクが短い釣り針が付いたルアーを係止することもできる。この場合、釣り糸をスリット１１２に通して穴１１１の中に押し込む。穴１１１は、ルアーの幅よりも狭い直径で形成されており、ルアーは、穴１１１の外に係止される。このとき、穴１１１の直径がルアーのアイの幅よりも広い場合は、ルアーのアイのみが穴１１１の中に収容される。
【００４１】
上記の実施の形態で示したフックキーパー１にオフセットフックを含む釣り針およびシンカーを係止する方法は例であり、どの方法で係止するかはユーザの任意である。
【００４２】
上記の実施の形態では、フックキーパー１の係止部１１のスリット１１２は、釣り針のシャンクおよびベンドの太さよりも広い幅で形成されていると説明したが、フックキーパー１の係止部１１が弾性部材で形成されており、スリット１１２に釣り針のシャンクおよびベンドを押し込むことで釣り針のシャンクおよびベンドがスリット１１２を通過可能な場合は、スリット１１２が釣り針のシャンクおよびベンドの太さ以下の幅で形成されていてもよい。また、上記の実施の形態では、フックキーパー１のスリット１１２を、フックキーパー１の側面に形成しているが、これに限らない。例えば、フックキーパー１のスリット１１２を、接合部１２１の反対側の面に形成してもよい。
【符号の説明】
【００４３】
１  フックキーパー
４  オフセットフック
５  シンカー
６  釣り糸
１１  係止部
１２  支持部
４１  シャンク
４２  ベンド
５１  アイ
１１１  穴
１１２  スリット
１２１  接合部
１２１ａ  溝
２００  両軸受リール
２０１  ナット
２０１ａ  上部
２０１ｂ  下部
２０１ｃ  雌ネジ部
２０１ｄ  リング溝
２０２  リテーナー
２０２ａ  溝
２０２ｂ，２０２ｃ  当接部
２０３  Ｏリング
２１０  リール本体
２２０  ハンドル
２２１  装着部
２２２  ハンドルアーム
２２２ａ  溝
２２３ａ，２２３ｂ  把手
２３０  スプール
２４０  スタードラグ
２５０  駆動軸
【図１】
2020010667.tif 000003
【図２】
2020010667.tif 000004
【図３】
2020010667.tif 000005
【図４】
2020010667.tif 000006
【図５】
2020010667.tif 000007
【図６】
2020010667.tif 000008
【図７】
2020010667.tif 000009
【図８】
2020010667.tif 000010
【図９】
2020010667.tif 000011